(57)【要約】【課題】ひときわ高い適用万能性を有するダブルヘッドドリリング装置及びドリル方法を提供する。【解決手段】本発明に係るダブルヘッドドリリング装置は、外パイプと、その外パイプ内の少なくとも諸部分内で運動する内ロッドと、を有するドリルロッド用のものであり、内ロッドを回動様式にて駆動する第１駆動ユニットと、外パイプを回動様式にて駆動する第２駆動ユニットと、を有する。本発明の構成によれば、内ロッドの可解放クランピング用に第１クランピングヘッド及び第２クランピングヘッドが設けられ、それら２個のクランピングヘッドが軸方向可変位様式にて相互支持される。更に、本発明により、そのダブルヘッドドリリング装置を用いる孔作成方法も提供される。【選択図】図１
2019056293.tif 000002
【特許請求の範囲】
【請求項１】
外パイプと、その外パイプ内の少なくとも諸部分内で運動する内ロッドと、を有するドリルロッド用のダブルヘッドドリリング装置であって、
内ロッドを回動様式にて駆動する第１駆動ユニットと、
外パイプを回動様式にて駆動する第２駆動ユニットと、
を有し、
内ロッドの可解放クランピング用に第１クランピングヘッド及び第２クランピングヘッドが設けられており、
それら２個のクランピングヘッドが軸方向可変位様式にて相互支持されているダブルヘッドドリリング装置。
【請求項２】
請求項１記載のダブルヘッドドリリング装置であって、
上記２個のクランピングヘッドを相互独立に作動させ内ロッドを交互にクランプすることが可能なダブルヘッドドリリング装置。
【請求項３】
請求項１記載のダブルヘッドドリリング装置であって、
第１クランピングヘッドが第１駆動ユニット上に堅固配置されており、
第２クランピングヘッドが第１駆動ユニットに対し軸方向可変位様式にて支持されているダブルヘッドドリリング装置。
【請求項４】
請求項１記載のダブルヘッドドリリング装置であって、
第２クランピングヘッドの変位用に少なくとも１個の変位シリンダが設けられているダブルヘッドドリリング装置。  
【請求項５】
請求項１記載のダブルヘッドドリリング装置であって、
少なくとも１個のリニアガイドが設けられており、それに沿い第２クランピングヘッドが案内されるダブルヘッドドリリング装置。  
【請求項６】
請求項１記載のダブルヘッドドリリング装置であって、
クランプ状態では第１駆動ユニットからのトルクのトルク伝達に備え内ロッドを軸方向固定且つ可回動な様式にて保持するよう第１クランピングヘッドが構成されているダブルヘッドドリリング装置。  
【請求項７】
請求項１記載のダブルヘッドドリリング装置であって、
クランプ状態では内ロッドを軸方向固定且つトルクプルーフな様式にて保持するよう第２クランピングヘッドが構成されているダブルヘッドドリリング装置。  
【請求項８】
請求項１記載のダブルヘッドドリリング装置であって、
第１クランピングヘッド及び／又は第２クランピングヘッドが内ロッドのフォースロックドクランピング用に少なくとも１個のクランピングシリンダを有するダブルヘッドドリリング装置。
【請求項９】
請求項１記載のダブルヘッドドリリング装置であって、
第２クランピングヘッドが内ロッド用通行開口付の環状構成であり、その第２クランピングヘッドにより内ロッドを第１駆動ユニット内へと段階的に動かすこと又は第２駆動ユニット外へと動かすことが可能なダブルヘッドドリリング装置。  
【請求項１０】
キャリア手段と、それに沿いダブルヘッドドリリング装置が可変位様式にて案内されるマスト又はマウントと、
を有し、
請求項１記載のダブルヘッドドリリング装置が設けられているドリリング機。
【請求項１１】
孔作成方法であり、外パイプと、その外パイプ内の少なくとも諸部分内で運動する内ロッドと、を有するドリルロッドを、請求項１記載のダブルヘッドドリリング装置により回動及び軸方向移動させる方法。
【請求項１２】
請求項１１に記載の方法であって、
内ロッドの変位に備えその内ロッドを第２クランピングヘッドによりクランピングし、
第１クランピングヘッドを内ロッドから解放し、
第２クランピングヘッドをクランピングされている内ロッドと共に軸方向変位させる方法。
【発明の詳細な説明】
【技術分野】
【０００１】
本発明は、請求項１の前提部分の如く、外パイプと、その外パイプ内の少なくとも諸部分内で運動する内ロッドと、を有するドリルロッド用のダブルヘッドドリリング（掘削）装置であって、内ロッドを回動様式にて駆動する第１駆動ユニットと、外パイプを回動様式にて駆動する第２駆動ユニットと、を有するものに関する。
【０００２】
本発明は、更に、請求項１１の如く、外パイプと、その外パイプ内の少なくとも諸部分内で運動する内ロッドと、を有するドリルロッドを、ダブルヘッドドリリング装置により回動及び軸方向移動させる孔作成方法に関する。
【背景技術】
【０００３】
一般的なドリリング装置が特許文献１により知らしめられている。この既知なドリリング装置は外パイプ駆動用の第１駆動ユニットを有している。その第１駆動ユニットは環状の構成であり、内ロッドがその第１駆動ユニットを縦貫して第２駆動ユニットに達しており、その第２駆動ユニットにより内ロッドが回動様式にて駆動されている。位置決めシリンダにより、後部の第２駆動ユニットを前部の第１駆動ユニットに対し軸方向に動かすことができ、ひいては内ロッドを外パイプに対し軸方向調整することができる。その軸方向調整は位置決めシリンダのストローク長による制約を受けている。
【０００４】
外パイプ及び内ロッドを有するドリルロッド用のロータリ駆動装置を特許文献２から読み取ることができる。このロータリ駆動装置においては、外ロッド用ロータリ駆動ユニット及び内ロッド用ロータリ駆動ユニットが軸方向固定様式にて相互配置されている。内ロッドは両駆動ユニットを縦貫しており、その後端が終端ベアリングハウジング内で支持されている。位置決めシリンダにより、その後部ベアリングハウジングひいては内ロッドを軸方向に動かすこと、ひいては外パイプに対し調整することができる。この装置でも、内ロッドの軸方向可調性が位置決めシリンダのストローク長による制約を受けている。
【０００５】
特許文献３により錐付のドリリング機が知らしめられている。その錐は単一のドリルドライブを縦貫する延長ロッド上に固定されており、その延長ロッドが、そのドリルドライブからドリリングツールへのトルク伝達用に構成されている。
【０００６】
特許文献４からはダブルヘッドドリリング用駆動ユニット、特にドリルロッドの外パイプ・内パイプ間角度位置を調整手段により設定できるものを読み取ることができる。
【先行技術文献】
【特許文献】
【０００７】
【特許文献１】独国登録特許第１０  ２００６  ０５９  １７１号明細書（Ｂ３）
【特許文献２】欧州特許出願公開第１９３６１０９号明細書（Ａ１）
【特許文献３】欧州登録特許第２２９５６４５号明細書（Ｂ１）
【特許文献４】欧州登録特許第２２３６７３４号明細書（Ｂ１）
【発明の概要】
【発明が解決しようとする課題】
【０００８】
ダブルヘッドドリリングにおいては、外パイプに対する内ロッドの軸方向相対調整が幾つかのケースで有益であることが、明らかになっている。例えば砂地盤や不安定地盤の場合、ボーリング孔（掘削孔）を支えるには、内ドリリングツール付の内ロッドに対し外パイプを先行させることが得策であろう。とはいえ、他の場合には、内ドリリングツール付の内ロッドを初期的に外ドリルパイプに対し先行させることが、意味をなすこともあろう。特に層状構造地盤の場合には、ボーリング孔を上部領域内ではドリルパイプにより支持することが必要になりうる反面、より安定性の高い深部地盤層では内ドリリングツール付の内ロッドのみによるドリリングのみで十分となりうる。
【０００９】
本発明は、ひときわ高いダブルヘッドドリリング時適用万能性に到達しうるダブルヘッドドリリング装置及びそれに関連するドリル方法を提供する、という目的を基礎に置いている。
【課題を解決するための手段】
【００１０】
本発明によれば、この目的が、請求項１の特徴を有するダブルヘッドドリリング装置により、また請求項１１の特徴を有する孔作成方法により達成される。
【００１１】
本発明の好適な諸実施形態については個々の従属形式請求項に記述されている。
【００１２】
本発明に係るダブルヘッドドリリング装置の特徴は、内ロッドの可解放クランピング（締付）用に第１クランピングヘッド及び第２クランピングヘッドが設けられていること、並びにそれら２個のクランピングヘッドが軸方向可変位様式にて相互支持されていることにある。
【００１３】
本発明の基本着想は、ダブルヘッドドリリング装置にて内ロッドの可解放クランピングが行われる点に見いだすことができる。そのため、第１クランピングヘッド及び第２クランピングヘッドが設けられ、それらが軸方向可変位様式にて相互支持されている。軸方向可変位様式にて支持された少なくとも１個のクランピングヘッドにより軸方向変位を引き起こすことができ、また２個のクランピングヘッドが配置されているためそれを反復的又は段階的に実行することができる。従って、ダブルヘッドドリリング装置上の構築空間が制約されている場合でさえも、外パイプに対する内ロッドの軸方向調整を概ね全て実行することができる。特に、２個の環状駆動ユニットを縦貫し駆動装置から後部へと数メートル以上も突出する内ロッドの使用が可能である。原理的には、内ロッドの端部に付加的な延長部材を取り付けることにより、本発明に係るダブルヘッドドリリング装置にて、通常はドリルパイプたる外パイプに対する、内ロッド及びそれに取り付けられている内ドリリングツールの、ほぼ全ての軸方向運動を行えるようにすることさえ可能である。
【００１４】
本発明のある好適実施形態は、それら２個のクランピングヘッドを相互独立に作動させ内ロッドを交互にクランピングすることが可能な点に所在している。交互作動を通じ、確とまた常に、軸方向に沿い内ロッドを固定することができる。これにより、縦又は傾斜ボーリング孔への内ロッドの導入中又はそこからの引出中の内ロッド脱落が防止される。特に、第２クランピングヘッドが停止位置に到達し終えてから内ロッドが第１クランピングヘッドによりクランピングされ始動位置にリセットされる。
【００１５】
本発明の更なる発展形態によれば、有益なことに、第１クランピングヘッドが第１駆動ユニット上に堅固配置され、且つ第２クランピングヘッドが第１駆動ユニットに対し軸方向可変位様式にて支持される。この第１クランピングヘッドにより第１駆動ユニット・内ロッド間トルク伝達性連結を形成することができる。その駆動ユニットは、好ましくも、対応するギアトランスミッションを伴う液圧ドライブにより構成することができる。内ロッドが回動様式にて駆動されるときには、第１クランピングヘッドがトルクプルーフ様式にて内ロッドに連結される一方、第２クランピングヘッドが内ロッドから解放される。これに対し、変位動作では、第１クランピングヘッドが内ロッドから解放される一方、第２クランピングヘッドがフォースロックド様式にて内ロッドに連結されるので、その第２クランピングヘッドを内ロッドと共に軸方向変位させることができる。
【００１６】
本発明の更なる発展形態によれば、ひときわ好都合なことに、第２クランピングヘッドの変位用に少なくとも１個の変位シリンダが設けられる。望みなら２個以上のシリンダを設ける。このシリンダはとりわけ液圧的に作動させるとよい。
【００１７】
本発明のもう一つの好適実施形態は、少なくとも１個のリニアガイドが設けられ、それに沿い第２クランピングヘッドが案内される点に所在している。このリニアガイドは、後方にある第１駆動ユニットから、内ロッドの軸に対し平行な後尾方向に沿い延ばすことができる。このリニアガイドは、可変位な第２クランピングヘッドの保持及び／又は抗ツイスト保護に役立つ。
【００１８】
本発明のある実施形態変種によれば、特に有益なことに、クランプ状態では内ロッドを軸方向固定且つ可回動な様式にて保持し第１駆動ユニットからのトルクのトルク伝達に備えるよう、第２クランピングヘッドが構成される。トルク伝達に備え第１クランピングヘッドにより内ロッドがクランピングされる。そして、この状態で第２クランピングヘッドを内ロッドから解放することができる。
【００１９】
更に有益なことに、クランプ状態では内ロッドを軸方向固定且つトルクプルーフな様式にて保持するよう第２クランピングヘッドが構成される。第２クランピングヘッドが内ロッドをクランピングしているときにはトルク伝達が生じ得ない。第２クランピングヘッド及びクランピングされている内ロッドの変位に備え、第１クランピングヘッドが内ロッドから解放されるので、好ましくも変位シリンダにより、第２クランピングヘッドを軸方向に変位させることができる。
【００２０】
基本的には、クランピングヘッドは、内ロッドとのフォースロックド及び／又はフォームフィッティング連結を確立するのに適するものなら、どのような手法でも構成することができる。本発明のある実施形態変種によれば、ひときわ好都合なことに、第１クランピングヘッド及び／又は第２クランピングヘッドが、内ロッドのフォースロックドクランピング用の少なくとも１個のクランピングシリンダを有するものとされる。このクランピング又はチャッキングシリンダは、具体的には、内ロッドを横断する向きを有し、或いはチャッキングウェッジ又はチャッキングコーンを有する。望みなら、２個以上のクランピングシリンダを単一のクランピングヘッド上に配置することもできる。
【００２１】
本発明の更なる発展形態によれば、ひときわ有益なことに、第２クランピングヘッドが内ロッド用通行開口付の環状構成、特にその第２クランピングヘッドにより内ロッドを好ましくも第１駆動ユニット内や第２駆動ユニット外へと動かせる構成とされる。この構成では、後尾方向に最高８ｍ以上も内ロッドで環状の第２クランピングヘッドを縦貫させることができる。特に、内ロッド上に先行ドリリングツール例えばドリル錐があるときには、そのドリリングツールを最高数メートル程も外ロッドに先行させることができる。クランピングヘッドを縦貫する内ロッドは、好ましくは、その外側にトルク伝達用のドライブキーがあるいわゆるケリーロッドとして構成される。トルク伝達に備え、それらのドライブキーを環状駆動ユニット上の対応するキーと可作動連結させることができる。
【００２２】
本発明に係るダブルヘッドドリリング装置は、ダブルヘッドドリリング向けだけでなく他のドリリング方法向け、例えば重畳ドリリング(superimposition drilling)向けにも採用することができる。
【００２３】
本発明によれば、更に、キャリア手段と、それに沿いダブルヘッドドリリング装置が可変位様式にて案内されるマスト又はマウントと、を有し、そのダブルヘッドドリリング装置が前述の如く本発明に従い構成されたドリリング機が構成される。とりわけ、このドリリング機を用い地中にボアパイル（埋込杭）を設けることができる。ドリリング機のキャリア手段は、通常、ほぼ鉛直方向を向いたマストを有し、それに沿いダブルヘッドドリリング装置が鉛直方向可変位様式にて案内されるようになっている。更に、本発明に係るダブルヘッドドリリング装置は、いわゆるアンカードリリング機等で用いられている空間可調マウント上で採用することもできる。
【００２４】
更に、本発明によれば、外パイプと、その外パイプ内の少なくとも諸部分内で運動する内ロッドと、を有するドリルロッドを、前述の如きダブルヘッドドリリング装置により回動及び軸方向移動させる孔作成方法が構成される。本発明に係る方法により、前述の効果を実現することができる。
【００２５】
本発明に係る方法のある好適実施形態は、内ロッドの変位に備えその内ロッドが第２クランピングヘッドによりクランピングされ、第１クランピングヘッドが内ロッドから解放され、そして第２クランピングヘッドとクランピングされている内ロッドとを軸方向変位させる点に所在している。このようにすることで、内ロッドの安全で段階的な変位が第２クランピングヘッドにより可能となるので、第２クランピングヘッドが内ロッドから再解放され爾後の変位工程に備え停止位置から始動位置に戻される際に、第１クランピングヘッドにより脱落保護を確立することができる。
【００２６】
内ロッドを回動様式にて駆動するため、その内ロッドが第１クランピングヘッドで以てクランピングされる。第１クランピングヘッドのクランピング後に第２クランピングヘッドが内ロッドから解放される。その後は、第１駆動ユニットにより、別体のトルク駆動手段を介し又はクランピングヘッドを介し直に、トルクを内ロッドに作用させることができる。
【図面の簡単な説明】
【００２７】
【図１】本発明に係るダブルヘッドドリリング装置１０の側面図である。
【発明を実施するための形態】
【００２８】
以下、本発明について、図面中に模式的に描かれている好適実施形態により更に説明する。
【００２９】
図１は、本発明に係るダブルヘッドドリリング装置１０の側面図である。これはキャリッジ４０を有しており、それにより、ダブルヘッドドリリング装置１０を、図示されていないドリリング機のマストに沿い直線的に動かすことができる。本発明に係るダブルヘッドドリリング装置は第１駆動ユニット１２及び第２駆動ユニット１４を備えている。第２駆動ユニット１４は環状の駆動フランジ１６を有する構成であり、そこにはカルダン式スイベル継ぎ手１８が取り付けられている。そのスイベル継ぎ手１８上には外パイプ、別称ドリルパイプが固定されているが、明瞭化のため描かれていない。この第２駆動ユニット１４により、図示されていない外パイプを回動様式にて駆動し、地中に送り込むことができる。
【００３０】
第１駆動ユニット１２は円筒状の内ロッド５０を駆動しうる構成である。その内ロッド５０は、環状の駆動ユニット１２，１４を有するダブルヘッドドリリング装置１０を縦貫している。図示されている内ロッド５０の前端上には多角形連結ピース５２が配置されており、その上にはドリリングツール、例えばドリリング錐又はドリリングバケットを可解放固定することができる。内ロッド５０は内部ダクトを有するパイプ状の構成とすることができ、設けられたボーリング孔内にその内部ダクトを介し例えばコンクリートその他の硬化材を導入することができる。
【００３１】
これら２個の駆動ユニット１２，１４は、内ロッド５０又は外パイプへのトルク伝達用に環状の駆動輪を有している。そのトルクは後尾配置された液圧モータ２０により生成され、そこからギア式伝達手段２１を介し２個の駆動ユニット１２，１４の駆動輪へとトルクが伝達される。それら２個の駆動ユニット１２，１４は少なくとも１本の連結バー３８により堅固に相互連結されている。これに代え、それら２個の駆動ユニット１２，１４を、軸方向位置決めシリンダにより軸方向に相互可動としてもよい。
【００３２】
外パイプに対する内ロッド５０の軸方向移動用に、環状の第１クランピングヘッド２２が第１駆動ユニット１２の後端に配置されている。クランプ状態においては、この第１クランピングヘッド２２により内ロッド５０を保持することで、その内ロッド５０を、軸方向には固定だがドリリング軸１１周りでは可回動とすることができる。更に、それに対し軸方向に間隔を置き第２クランピングヘッド２４が配置されており、それにより内ロッド５０を軸方向固定且つトルクプルーフな様式にてクランピングすることができる。第２クランピングヘッド２４は環状とするのが望ましいが、他の構成とすることもできる。
【００３３】
第２クランピングヘッド２４がクランピングされ第１クランピングヘッド２２が解放されているときには、その第２クランピングヘッド２４を、クランピングされている内ロッド５０と共に、変位シリンダ３０により始動位置・停止位置間で軸方向変位させることができる。その際、第２クランピングヘッド２４は、ガイドシュー３５によりバー状リニアガイド３４に沿いトルクプルーフ様式にて案内される。
【００３４】
即ち、第２クランピングヘッド２４と共に、内ロッド５０を、変位シリンダ３０のストロークに従い軸方向変位させることができる。その後は、第２クランピングヘッド２４を再解放し始動位置に戻すことができる。この返戻運動プロセス中は、内ロッド５０を、第１クランピングヘッド２２によりクランピングしその場に固定することができる。次いで、第２クランピングヘッド２４による更新クランピングを実行し、第１クランピングヘッド２２を内ロッド５０から再解放することができる。その後は、変位工程を、変位シリンダ３０を伴う第２クランピングヘッド２４により再実行することができる。
【００３５】
このように、概ねどのような長さの内ロッド５０でも、両駆動ユニット１２，１４及び両クランピングヘッド２２，２４を縦貫させ、ダブルヘッドドリリングに用いることができる。外パイプに対する内ロッド５０の段階的変位の反復を通じ、外パイプの下端に対し概ねどのような長さでもドリリングツールを先行させることができる。
【図１】
2019056293.tif 000003